(57)【要約】【課題】本発明は、伝票に販売促進のための広告として情報量の多いイメージ情報を出力できる決済システムおよび決済端末を提供する。【解決手段】ホスト３０と決済端末１０を備えた決済システム１であって、決済端末１０はホスト３０と電文のやりとりを行う電文送受信部１２と、文字を含むイメージ情報を複数記憶する記憶部１３と、ホスト３０から受信した電文が含むイメージ情報指定情報に基づいて指定されたイメージ情報を記憶部１３から読み出して印刷部１４に伝達する制御部１１と、制御部１１から伝達されたイメージ情報を伝票４０に印刷する印刷部１４とを備え、ホスト３０は決済端末１０の記憶部１３に記憶された複数のイメージ情報の中から特定のイメージ情報を指定するイメージ情報指定情報を含む電文を決済端末１０に送信する決済システムである。【選択図】図１
2006268424.tif 000002
【特許請求の範囲】
【請求項１】
ホストと決済端末を備えた決済システムであって、前記決済端末はホストと電文のやりとりを行う電文送受信部と、文字を含むイメージ情報を複数記憶する記憶部と、前記ホストから受信した電文が含むイメージ情報指定情報に基づいて指定されたイメージ情報を前記記憶部から読み出して印刷部に伝達する制御部と、前記制御部から伝達されたイメージ情報を伝票に印刷する印刷部とを備え、前記ホストは前記決済端末の記憶部に記憶された複数のイメージ情報の中から特定のイメージ情報を指定するイメージ情報指定情報を含む電文を前記決済端末に送信する決済システム。
【請求項２】
ホストは決済端末から受信した決済処理される個人の個人情報に基づいてイメージ情報を指定する請求項１記載の決済システム。
【請求項３】
ホストは決済端末から受信した前記決済端末が設置されている場所情報に基づいてイメージ情報を指定する請求項１記載の決済システム。
【請求項４】
ホスト等の通信回線を介して決済端末に接続されている機器により、前記決済端末の記憶部に記憶されているイメージ情報の変更や削除や新たなイメージ情報の追加を行う請求項１から３のいずれかに記載の決済システム。
【請求項５】
決済端末の記憶部に記憶されているイメージ情報は各々識別番号を有し、前記決済端末は記憶部に記憶されているイメージ情報が有する全ての識別番号をホストに送信し、前記ホストは前記決済端末から受信した全ての識別番号の中から指定するイメージ情報が有する識別番号を指定し、この識別番号をイメージ情報指定情報として前記決済端末に送信する請求項１から４のいずれかに記載の決済システム。
【請求項６】
ホストと電文のやりとりを行う電文送受信部と、文字を含むイメージ情報を複数記憶する記憶部と、ホストから受信した電文が含むイメージ情報指定情報に基づいて指定されたイメージ情報を前記記憶部から読み出して印刷部に伝達する制御部と、前記制御部から伝達されたイメージ情報を伝票に印刷する印刷部とを備えた決済端末。
【請求項７】
ホストと電文のやりとりを行う電文送受信部と、文字を含むイメージ情報を少なくとも１つ記憶する記憶部と、前記記憶部に記憶されている全てのイメージ情報を読み出して印刷部に伝達する制御部と、前記制御部から伝達されたイメージ情報を伝票に印刷する印刷部とを備えた決済端末。
【請求項８】
ホスト等の通信回線を介して決済端末に接続されている機器により、前記決済端末の記憶部に記憶されているイメージ情報の変更や削除や新たなイメージ情報の追加を行う請求項６または７記載の決済端末。
【発明の詳細な説明】
【技術分野】
【０００１】
本発明は、クレジット決済処理における付加情報の出力を行う決済システムおよび決済端末に関するものである。
【背景技術】
【０００２】
一般に決済システムは、店舗に設置される決済端末と、決済端末と通信回線等のネットワークによってクレジット決済処理に必要な情報を提供するカード処理センタと、カード処理センタにコンピュータ管理業務を委託しているカード会社とにより構成される。
【０００３】
なお、カード会社は店舗と決済端末設置に関する契約を結び、店舗に決済端末を設置している。
【０００４】
決済処理において、購入物品・金額等に関する情報を伝票に印刷し、顧客に提示するとともに控えを店舗が保管していた。この伝票に販売促進のための広告を印刷し、広告料金を徴収する方法が公開されている（例えば、特許文献１）。
【特許文献１】特開２００３−１５０８４９号公報
【発明の開示】
【発明が解決しようとする課題】
【０００５】
しかしながら、上記従来の構成では、広告は文字コードで表現されている。文字コードの場合、情報量が少なくデータの転送時間が短くて済むというメリットとはあるものの、顧客に対するアピール度では劣っていた。
【０００６】
ネットワークの通信速度は飛躍的に向上しており、情報量の多いイメージ情報を送信しても相応の時間内に終了する。また、決済端末の情報記憶容量も向上しており、大量のイメージ情報を装置内部に記憶しておき、顧客の条件に従い検索表示することが可能になってきている。
【０００７】
本発明は、上記従来の課題に艦み、伝票に販売促進のための広告として情報量の多いイメージ情報を出力できる決済システムおよび決済端末を提供することを目的とする。
【課題を解決するための手段】
【０００８】
上記目的を達成するために、本発明の決済システムは、ホストと決済端末を備えた決済システムであって、前記決済端末はホストと電文のやりとりを行う電文送受信部と、文字を含むイメージ情報を複数記憶する記憶部と、前記ホストから受信した電文が含むイメージ情報指定情報に基づいて指定されたイメージ情報を前記記憶部から読み出して印刷部に伝達する制御部と、前記制御部から伝達されたイメージ情報を伝票に印刷する印刷部とを備え、前記ホストは前記決済端末の記憶部に記憶された複数のイメージ情報の中から特定のイメージ情報を指定するイメージ情報指定情報を含む電文を前記決済端末に送信する。  
【０００９】
この構成によれば、決済端末はホストが指定するイメージ情報を伝票に印刷することができる。
【００１０】
また、本発明の決済システムは、ホストは決済端末から受信した決済処理される個人の個人情報に基づいてイメージ情報を指定する。
【００１１】
この構成によれば、ホストは決済処理される個人（以下、顧客という）に最適と思われるイメージ情報を決済端末によって伝票に印刷することができる。
【００１２】
また、本発明の決済システムは、ホストは決済端末から受信した前記決済端末が設置されている場所情報に基づいてイメージ情報を指定する。
【００１３】
この構成によれば、ホストは決済端末が設置されている場所に最適と思われるイメージ情報を決済端末によって伝票に印刷することができる。
【００１４】
また、本発明の決済システムは、ホスト等の通信回線を介して決済端末に接続されている機器により、前記決済端末の記憶部に記憶されているイメージ情報の変更や削除や新たなイメージ情報の追加を行う。
【００１５】
この構成によれば、決済端末に接続されている機器は決済端末の記憶部に記憶されているイメージ情報の変更や削除や新たなイメージ情報の追加を行うことができる。
【００１６】
また、本発明の決済システムは、決済端末の記憶部に記憶されているイメージ情報は各々識別番号を有し、前記決済端末は記憶部に記憶されているイメージ情報が有する全ての識別番号をホストに送信し、前記ホストは前記決済端末から受信した全ての識別番号の中から指定するイメージ情報が有する識別番号を指定し、この識別番号をイメージ情報指定情報として前記決済端末に送信する。
【００１７】
この構成によれば、ホストは決済端末の記憶部に記憶されているイメージ情報の中から印刷するイメージ情報を選択し、決済端末に通知することができる。また、決済端末は予めイメージ情報を記憶部に記憶しておき、印刷に際してイメージ情報の識別番号を受信するのでホストと決済端末間の通信時間を短縮でき、顧客の待ち時間を短縮できる。
【００１８】
また、本発明の決済端末は、ホストと電文のやりとりを行う電文送受信部と、文字を含むイメージ情報を複数記憶する記憶部と、ホストから受信した電文が含むイメージ情報指定情報に基づいて指定されたイメージ情報を前記記憶部から読み出して印刷部に伝達する制御部と、前記制御部から伝達されたイメージ情報を伝票に印刷する印刷部とを備える。
【００１９】
この構成によれば、決済端末はホストが指定されたイメージ情報を伝票に印刷することができる。
【００２０】
また、本発明の決済端末は、ホストと電文のやりとりを行う電文送受信部と、文字を含むイメージ情報を少なくとも１つ記憶する記憶部と、前記記憶部に記憶されている全てのイメージ情報を読み出して印刷部に伝達する制御部と、前記制御部から伝達されたイメージ情報を伝票に印刷する印刷部とを備える。
【００２１】
この構成によれば、決済端末は保守機能の一部として、イメージ情報を管理するための文字情報と記憶部に記憶されている全てのイメージ情報を読み出して印刷することができる。
【００２２】
また、本発明の決済端末は、ホスト等の通信回線を介して決済端末に接続されている機器により、前記決済端末の記憶部に記憶されているイメージ情報の変更や削除や新たなイメージ情報の追加を行う。
【００２３】
この構成によれば、決済端末は通信回線を介して接続されている機器から決済端末の記憶部に記憶されているイメージ情報の変更や削除や新たなイメージ情報の追加を受付けることができる。
【発明の効果】
【００２４】
以上のように本発明によると、伝票に販売促進のための広告として情報量の多いイメージ情報を出力できる決済システムおよび決済端末を提供することができるという多大な効果を奏する。
【発明を実施するための最良の形態】
【００２５】
（実施の形態１）
以下、本発明の実施の形態１について、図１から図８を用いて説明する。
【００２６】
図１は、本発明の決済システムの構成を示す図である。
【００２７】
図１において、１は決済システムであり、１０は決済処理を実行する決済端末、２０は決済端末１０とホスト３０間のデータ送受信を行う通信回線、３０は決済端末１０に決済処理に必要な情報を提供するホストである。
【００２８】
図２は、本発明の決済端末の構成を示す図である。
【００２９】
図２において、１０は決済端末であり、１１は決済端末１０全体を制御する制御部、１２は通信回線２０と接続されホスト３０と電文のやりとりを行う電文送受信部と、１３は文字を含むイメージ情報を複数記憶する記憶部と、１４は制御部１１から伝達されたイメージ情報を伝票に印刷する印刷部、１５は装置の稼働状態や操作案内を表示する表示部、１６は決済端末１０を操作するための操作部と購買品に関する情報として、購買品の値段、購入数、種別を入力するための購買品情報入力部が一体となったキー入力部、１７は顧客が所有し決済処理における認証処理に必要な情報を提供する決済用カードを読み取るカード読取部より構成される。決済用カードは少なくとも顧客を一意に識別する顧客識別番号を提供するものとする。
【００３０】
なお、記憶部１３の構成については図４において詳しく説明する。
【００３１】
図３は、本発明のホストの構成を示す図である。
【００３２】
図３において、３０はホストであり、３１はホスト３０全体を制御する制御部、３２は通信回線２０と接続され決済端末１０と電文のやりとりを行う電文送受信部と、３３は文字を含むイメージ情報を複数記憶する記憶部と、３５は装置の稼働状態や操作案内を表示する表示部、３６はホスト３０を操作するためのキー入力部により構成される。
【００３３】
なお、記憶部３３の構成については図６において詳しく説明する。
【００３４】
図４は、決済端末１０の記憶部１３の構成を示す図である。
【００３５】
図４（ａ）はイメージ情報を一意に識別するイメージ情報識別番号を記憶するイメージ情報識別番号テーブル、図４（ｂ）はイメージ情報を記憶するイメージ情報テーブルであり、イメージ情報識別番号テーブルの番地とイメージ情報テーブルの番地が対応する構成となっている。つまりイメージ情報識別番号テーブルのｎ番地のイメージ情報はイメージ情報テーブルのｎ番地に記憶されている。
【００３６】
決済端末１０は、図５に示すイメージ情報更新要求電文を受信するとイメージ情報識別番号テーブルおよびイメージ情報テーブルを変更や削除や新たなイメージ情報の追加を行う。
【００３７】
図５はイメージ情報更新処理に関連する電文の構成を示す図である。
【００３８】
図５（ａ）はイメージ情報更新要求電文のうち変更および新たなイメージ情報の追加のとき使用する電文であり,業務種別として変更または追加と変更または追加するイメージ情報識別番号とイメージ情報をセットにして送信する。
【００３９】
図５（ｂ）は、イメージ情報更新要求電文のうち削除のとき使用する電文であり,業務種別として削除と削除するイメージ情報識別番号をセットにして送信する。
【００４０】
図５（ｃ）は、イメージ情報更新結果電文であり業務種別として変更、追加または削除と処理の対象となったイメージ情報識別番号をセットにして送信する。
【００４１】
図５（ｄ）は決済処理における認証要求電文であり、認証要求情報として顧客カードから読み取った顧客識別番号と顧客が購入する購買品の値段、購入数、種別と図４（ａ）に示すイメージ情報識別番号テーブルをセットにして送信する。
【００４２】
図５（ｅ）は決済処理における認証結果電文であり、ホスト３０における認証結果と認証結果が決済可能である場合に伝票に印刷するイメージ情報のイメージ情報識別番号をセットにして送信する。
【００４３】
図６は、ホスト３０の記憶部３３の構成を示す図である。
【００４４】
図６（ａ）はイメージ情報を一意に識別するイメージ情報識別番号を記憶するイメージ情報識別番号テーブル、図６（ｂ）はイメージ情報を記憶するイメージ情報テーブルである。
【００４５】
図６（ｃ）は顧客の個人情報と個人情報にリンクされるイメージ情報識別番号を記憶する個人情報テーブルであり、個人情報は顧客識別番号＋性別または生年月日または職業により構成される。
【００４６】
図６（ｄ）は決済端末の場所情報と場所情報にリンクされるイメージ情報識別番号を記憶する場所情報テーブルであり、場所情報は決済端末識別番号＋場所情報により構成される。
【００４７】
図６（ｅ）は決済端末識別番号と場所情報を記憶する決済端末識別番号テーブルである。
【００４８】
図６（ｆ）は顧客の個人情報を記憶する顧客識別番号テーブルであり、個人情報として性別、生年月日および職業を定義している。
【００４９】
次に決済処理について説明する。
【００５０】
図７は、決済処理のフローチャートを示す図である。
【００５１】
初めに決済端末１０側の処理を説明する。なお、決済端末１０の記憶部１３には、予め決済端末１０の決済端末識別番号、Ｎ件のイメージ情報およびイメージ情報識別番号が記憶されているものとする。
【００５２】
顧客が音楽用ＣＤを購入する場合を実施例として説明する。
【００５３】
顧客が音楽用ＣＤと決済用カードを店員に提示すると、店員はキー入力部１６の操作部より決済処理の開始を指示すると,決済端末１０は決済処理を開始する（Ｓ０１０）。
【００５４】
店員はキー入力部１６の購買品情報入力部により購買品の値段（￥２，０００）、購入数（１枚）、種別（音楽用ＣＤ）を入力すると、決済端末１０は入力された購買品の値段（￥２，０００）、購入数（１枚）、種別（音楽用ＣＤ）を記憶部１３に記憶する（Ｓ０２０）。
【００５５】
店員は、顧客に対し決済用カードの読取を要求し、顧客は決済用カードをカード読取部１７に読み取らせると、決済端末１０は入力されたカード情報、例えば少なくとも顧客識別番号を含む情報を記憶部１３に記憶する（Ｓ０３０）。
【００５６】
決済端末１０は、決済端末識別番号と入力された顧客識別番号と購買品の値段（￥２，０００）、購入数（１枚）、種別（音楽用ＣＤ）と図４（ａ）のイメージ情報識別番号テーブルを記憶部１３から読み出し、図５（ｄ）の認証要求電文として編集し、ホスト３０に送信する（Ｓ０４０）。
【００５７】
決済端末１０は、ホスト３０から図５（ｅ）の認証結果電文を受信する。認証結果電文には認証結果と認証結果が決済可能である場合に伝票に印刷するイメージ情報のイメージ情報識別番号がセットされており、決済可能である場合イメージ情報識別番号を記憶部１３の印刷用イメージ情報識別番号の記憶エリアに記憶する（Ｓ０５０）。
【００５８】
決済端末１０は、認証結果を表示部１５に表示する（Ｓ０６０）。
【００５９】
決済端末１０は、入力された顧客識別番号と購買品の値段（￥２，０００）、購入数（１枚）、種別（音楽用ＣＤ）と印刷用イメージ情報識別番号の記憶エリアに記憶しているイメージ情報識別番号を図４（ａ）のイメージ情報識別番号テーブルから検索し、該イメージ情報識別番号テーブルの番地確定させ、さらに該番地に相当する図４（ｂ）のイメージ情報テーブルからイメージ情報を読み出し、伝票として編集し、印刷部１４に出力する。
【００６０】
図９は伝票の印刷例を示す図である。
【００６１】
図９において、４０は伝票、４１は伝票４０のヘッダー部、４２は伝票４０の購入情報部、４３は伝票４０の広告部の構成になっており、ヘッダー部４１は店舗情報や伝票の種類などを示す情報であり、印刷すべき情報は決済端末１０の記憶部１３に固定で記憶している。購入情報部４２は、署名と顧客の購入情報部を示す情報である。広告部４３は、カード会社や店舗が顧客に提示する広告であり,ホスト３０から図５（ｅ）の認証結果電文の一部としてイメージ情報識別番号を受信し、該イメージ情報識別番号に対応するイメージ情報を記憶部１３から読み出し印刷する。
【００６２】
例えば,レコード会社がカード会社とレコード会社の広告を印刷する旨を契約し、カード会社のホスト３０にレコード会社の広告を記憶し、レコード会社が性別、生年月日（年齢）または職業で指定する顧客や決済端末が設置されている地域の伝票にレコード会社の広告を印刷することができる。
【００６３】
次にホスト３０の処理を説明する。
【００６４】
なお、ホスト３０の記憶部３３には、予めＭ件のイメージ情報およびイメージ情報識別番号が記憶されているものとする。
【００６５】
また、図６（ｃ）の個人情報に基づくイメージ情報識別番号の指定を示す個人情報テーブル、図６（ｄ）の決済端末の場所情報に基づくイメージ情報識別番号の指定を示す場所情報テーブルが記憶されており、それぞれ顧客の個人情報および決済端末の場所情報に基づくイメージ情報識別番号を定義している。
【００６６】
また、図６（ｅ）の決済端末識別番号と場所情報を記憶する決済端末識別番号テーブル、図６（ｆ）の顧客の個人情報を記憶する顧客識別番号テーブルが記憶されており、それぞれ決済端末の場所情報および顧客の個人情報としてＭ例えば性別、生年月日、職業を定義している。
【００６７】
ホスト３０の操作者は、ホスト３０を起動し、キー入力部３６によりイメージ情報の指定基準を設定する（Ｓ１１０）。イメージ情報の指定基準として、個人情報優先、決済端末の場所情報優先がある。なお、イメージ情報の指定基準は上記実施例に限定せず、追加してもよい。
【００６８】
ホスト３０は、決済端末１０から認証要求電文を受信すると認証要求情報を確認し、決済可能または不可能を判定する（Ｓ１２０）。なお、本実施例では決済可能のみについて説明する。
【００６９】
ホスト３０は、イメージ情報の指定基準に基づき、イメージ情報のイメージ情報識別番号を選定する（Ｓ１３０）。個人情報優先であれば、認証要求電文の顧客識別番号から図６（ｃ）の個人情報テーブルを参照し、選定されているイメージ情報のイメージ情報識別番号を獲得する。また、決済端末の場所情報優先であれば、認証要求電文の決済端末識別番号から図６（ｅ）決済端末識別番号テーブルを参照し、決済端末の場所情報を獲得し、さらに場所情報から図６（ｄ）の場所情報テーブルを参照し、選定されているイメージ情報のイメージ情報識別番号を獲得する。
【００７０】
ホスト３０は、認証結果とＳ１３０で選定したイメージ情報識別番号を認証結果電文として編集し、決済端末１０に送信する（Ｓ１４０）。
【００７１】
ホスト３０は、該決済処理の認証結果を記憶部３３に記憶する（Ｓ１５０）。
【００７２】
なお、ホスト３０はＳ１５０のあと、Ｓ１２０に戻り、次の認証要求電文の受信を待つような連続処理としてもよい。
【００７３】
ホスト３０の操作者は、ホスト３０の認証処理を終了する（Ｓ１６０）。
【００７４】
以上のように、決済端末１０はホスト３０が指定するイメージ情報を伝票に印刷することができる。
【００７５】
また、ホスト３０は顧客の性別、生年月日（年齢）、職業などの個人情報に基づき、最適と思われるイメージ情報を決済端末によって伝票に印刷することができる。
【００７６】
また、ホスト３０は決済端末が設置されている場所に基づき、最適と思われるイメージ情報を決済端末によって伝票に印刷することができる。
【００７７】
例えば、プロ野球の日本シリーズの場合であれば、優勝チームの地域には、優勝記念のイメージ情報、負けたチームの地域には、応援感謝のイメージ情報というように、地域に適合した対応が可能である。
【００７８】
また、決済端末１０とホスト３０間では決済処理中はイメージ情報識別番号をやり取りしているので、決済処理中にイメージ情報をダウンロードして印刷する場合と比較して通信量と処理時間を削減できる。
【００７９】
この結果、顧客の余計な待ち時間を発生させることがない。
【００８０】
（実施の形態２）
次にイメージ情報の変更や削除や新たなイメージ情報の追加について説明する。
【００８１】
なお、図１から図６は本発明の実施の形態１と同じなので説明を省略する。
【００８２】
図８は、イメージ情報更新のフローチャートを示す図である。
【００８３】
初めにホスト３０の処理を説明する。
【００８４】
なお、ホスト３０の記憶部３３には、予め図６（ａ）（ｂ）のようにＭ件のイメージ情報およびイメージ情報識別番号が記憶されているものとする。
【００８５】
ホスト３０の操作者は、ホスト３０を起動し、キー入力部３６によりイメージ情報更新処理を開始する（Ｓ２１０）。
【００８６】
ホスト３０は、図６（ａ）（ｂ）のＭ件のイメージ情報およびイメージ情報識別番号から決済端末１０に送信するイメージ情報およびイメージ情報識別番号を選定する（Ｓ２２０）。
【００８７】
なお、選定の基準は、有効期間や決済端末１０の設置場所などで行い、有効期間切れのイメージ情報は削除の対象となる。
【００８８】
ホスト３０は、変更または追加であれば図５（ａ）のイメージ情報更新要求電文、削除であれば、図５（ｂ）のイメージ情報更新要求電文を編集し、決済端末１０に送信する（Ｓ２３０）。
【００８９】
ホスト３０は、変更、追加または削除の結果として、図５（ｃ）のイメージ情報更新結果電文を受信する（Ｓ２４０）。
【００９０】
ホスト３０は、変更、追加または削除の結果を記憶部３３に記憶する（Ｓ２５０）。
【００９１】
ホスト３０の操作者は、キー入力部３６によりイメージ情報更新処理を終了する（Ｓ２６０）。
【００９２】
なお、本実施例では１台の決済端末１０に送信する方法を説明しているが、Ｓ２５０のあとＳ２２０に戻り、次の決済端末１０の処理に移行してもよい。
【００９３】
イメージ情報更新処理の対象となる決済端末１０は日本だけでも数万台あり、夜間処理で数日に分散して実施されるのが一般的である。
【００９４】
次に決済端末１０側の処理を説明する。なお、決済端末１０の記憶部１３には、予め決済端末１０の決済端末識別番号、Ｎ件のイメージ情報およびイメージ情報識別番号が記憶されているものとする。
【００９５】
本実施例では、店舗営業が終了したあとの夜間処理で実施する方法を説明する。
【００９６】
店員は、営業終了後も決済端末１０を電源ＯＮのままとし、イメージ情報更新要求電文受信可能状態とする（Ｓ３１０）。
【００９７】
決済端末１０は、イメージ情報更新要求電文を受信する（Ｓ３２０）。
【００９８】
決済端末１０は、イメージ情報更新処理中に店員が操作しても無効となるようにキー入力を無効とすると共に表示部１５に「イメージ情報更新処理中」と表示する（Ｓ３３０）。
【００９９】
決済端末１０は、イメージ情報を更新する（Ｓ３４０）。
【０１００】
決済端末１０は、イメージ情報更新要求電文が変更であれば、図４（ａ）のイメージ情報識別番号テーブルから検索し、該イメージ情報識別番号テーブルの番地確定させる。さらに該番地に相当する図４（ｂ）のイメージ情報テーブルのイメージ情報を先に受信したイメージ情報で上書きする。
【０１０１】
決済端末１０は、イメージ情報更新要求電文が追加であれば、図４（ａ）のイメージ情報識別番号テーブルと図４（ｂ）のイメージ情報テーブルの先頭にそれぞれ追加する。
【０１０２】
決済端末１０は、イメージ情報更新要求電文が削除であれば、図４（ａ）のイメージ情報識別番号テーブルから検索し、該イメージ情報識別番号テーブルの番地確定させる。さらに該番地に相当する図４（ａ）のイメージ情報識別番号テーブルのイメージ情報と図４（ｂ）のイメージ情報テーブルのイメージ情報を削除し、該番地以降については上位側にシフトする。
【０１０３】
決済端末１０は、変更、追加または削除の結果として、図５（ｃ）のイメージ情報更新結果電文を編集し送信する（Ｓ３５０）。
【０１０４】
決済端末１０は、キー入力を有効とすると共に表示部１５の「イメージ情報を更新しました」を表示する（Ｓ３６０）。
【０１０５】
店員は、表示部１５の案内を確認し、前日のイメージ情報メンテ処理が正常終了したことを確認し、当日の決済処理に移行する（Ｓ３７０）。
【０１０６】
なお、イメージ情報更新の結果を確認する方法として、保守機能の一部に図４（ａ）のイメージ情報識別番号テーブルと図４（ｂ）のイメージ情報テーブルを印刷部１４から印刷する機能を設けてもよい。
【０１０７】
また、イメージ情報更新結果電文に複数のイメージ情報識別番号とイメージ情報をセットしてもよい。
【０１０８】
以上のように決済端末１０に接続されている機器、例えばホスト３０は決済端末１０の記憶部１３に記憶されているイメージ情報の変更や削除や新たなイメージ情報の追加を行うことができる。
【０１０９】
また、決済端末１０はイメージ情報の変更や削除や新たなイメージ情報の追加の結果を保守機能の一部において実際に印刷することができる。
【０１１０】
例えば、プロ野球の日本シリーズの場合であれば、優勝が決まる月日は当日にならないとわからない。優勝が決まってから数万台の決済端末に一斉にイメージ情報を配信するのは困難である。事前に数パターンのイメージ情報を配信しておき、イメージ情報識別番号を適宜変えることにより、柔軟に対応可能となる。
【産業上の利用可能性】
【０１１１】
本発明の決済システムおよび決済端末は、伝票に販売促進のための広告として情報量の多いイメージ情報を出力できるとともに、イメージ情報の適用日が不確定の場合でも柔軟に対応できるので決済システムおよび決済端末などに有用である。
【図面の簡単な説明】
【０１１２】
【図１】本発明の決済システムの構成を示す図
【図２】本発明の決済端末の構成を示す図
【図３】本発明のホストの構成を示す図
【図４】本発明の決済端末の記憶部の構成を示す図
【図５】本発明のイメージ情報更新処理に関する電文の構成を示す図
【図６】本発明のホストの記憶部の構成を示す図
【図７】本発明の決済処理のフローチャート
【図８】本発明のイメージ情報更新のフローチャート
【図９】本発明の伝票の印刷例を示す図
【符号の説明】
【０１１３】
１    決済システム
１０  決済端末
１１  決済端末の制御部
１２  決済端末の電文送受信部
１３  決済端末の記憶部
１４  決済端末の印刷部
１５  決済端末の表示部
１６  決済端末のキー入力部
１７  決済端末のカード読取部
２０  通信回線
３０  ホスト
３１  ホストの制御部
３２  ホストの電文送受信部
３３  ホストの記憶部
３５  ホストの表示部
３６  ホストのキー入力部
４０  伝票
４１  伝票のヘッダー部
４２  伝票の購入情報部
４３  伝票の広告部
【図１】
2006268424.tif 000003
【図２】
2006268424.tif 000004
【図３】
2006268424.tif 000005
【図４】
2006268424.tif 000006
【図５】
2006268424.tif 000007
【図６】
2006268424.tif 000008
【図７】
2006268424.tif 000009
【図８】
2006268424.tif 000010
【図９】
2006268424.tif 000011